(57)【要約】【課題】  聴きたい音楽情報に関する情報を再生装置に設定することなく、さらに、ユーザが聴いたことがない音楽情報も考慮して、状況に合った音楽情報を選出し自動再生することを目的とする。【解決手段】  再生履歴集計処理部１４が近似した状況情報の音楽情報毎の再生回数を集計し、再生回数集計結果記憶部１５に記憶する。お薦め曲選出処理部１６が再生回数集計結果記憶部１５と曲調情報記憶部１１を照合し、現在の状況情報に近似した状況で再生回数が多い音楽情報の曲調を判定する。お薦め曲選出処理部１６が、判定した曲調に近似する音楽情報を選出し、お薦め曲としてユーザ操作画面１７に一覧表示する。ユーザがユーザ操作画面１７で自動再生を指定すると、一覧表示したお薦め曲を自動再生する。【選択図】        図１
2006294212.tif 000002
【特許請求の範囲】
【請求項１】
情報データを提供する情報データ提供装置において、
情報データと情報データ毎の特徴を示す特徴情報とを対応づけてあらかじめ記憶する特徴情報記憶部と、
提供した情報データの提供履歴を作成する提供履歴作成部と、
前記提供履歴作成部が作成した前記提供履歴に基づいて情報データ毎提供回数を集計する提供回数集計部と、
前記提供回数集計部が集計した前記情報データ毎提供回数と前記特徴情報記憶部の情報データ毎の特徴情報とに基づいて、過去に提供した情報データの特徴情報を判定し、判定により得られた情報データの特徴情報と前記特徴情報記憶部の情報データ毎の特徴情報とを比較し、判定により得られた情報データの特徴情報と近似する特徴情報を有する情報データを前記特徴情報記憶部から少なくともひとつ以上選出する情報データ選出部と、
前記情報データ選出部が選出した少なくともひとつ以上の情報データを出力する情報データ出力部と
を有することを特徴とする情報データ提供装置。
【請求項２】
情報データを提供する情報データ提供装置において、
情報データと情報データ毎の特徴を示す特徴情報とを対応づけてあらかじめ記憶する特徴情報記憶部と、
情報データを提供する外部再生装置と接続し、外部再生装置が提供した情報データの情報である提供情報を受信して転送する外部再生装置インタフェース部と、
提供した情報データの提供履歴を作成するとともに、前記外部再生装置インタフェース部が転送した前記提供情報を受信し、受信した前記提供情報に基づいて外部再生装置が提供した情報データの履歴である外部提供履歴を作成し、前記提供履歴に前記外部提供履歴を追加する提供履歴作成部と、
前記提供履歴に基づいて情報データ毎提供回数を集計する提供回数集計部と、
前記提供回数集計部が集計した前記情報データ毎提供回数と前記特徴情報記憶部の情報データ毎の特徴情報とに基づいて、過去に提供した情報データの特徴情報を判定し、判定により得られた情報データの特徴情報と前記特徴情報記憶部の情報データ毎の特徴情報とを比較し、判定により得られた情報データの特徴情報と近似する特徴情報を有する情報データを前記特徴情報記憶部から少なくともひとつ以上選出する情報データ選出部と、
前記情報データ選出部が選出した少なくともひとつ以上の情報データを出力する情報データ出力部と
を有することを特徴とする情報データ提供装置。
【請求項３】
情報データを提供する情報データ提供装置において、
情報データと情報データ毎の特徴を示す特徴情報とを対応づけてあらかじめ記憶する特徴情報記憶部と、
提供した情報データの提供履歴を作成する提供履歴作成部と、
情報データを提供する外部再生装置と接続し、外部再生装置が提供した情報データの情報である提供情報に基づいて外部再生装置が提供した情報データの履歴である外部提供履歴を作成する外部再生装置インタフェース部と、
前記提供履歴と前記外部提供履歴との少なくともいずれかに基づいて情報データ毎提供回数を集計する提供回数集計部と、
前記提供回数集計部が集計した前記情報データ毎提供回数と前記特徴情報記憶部の情報データ毎の特徴情報とに基づいて、過去に提供した情報データの特徴情報を判定し、判定により得られた情報データの特徴情報と前記特徴情報記憶部の情報データ毎の特徴情報とを比較し、判定により得られた情報データの特徴情報と近似する特徴情報を有する情報データを前記特徴情報記憶部から少なくともひとつ以上選出する情報データ選出部と、
前記情報データ選出部が選出した少なくともひとつ以上の情報データを出力する情報データ出力部と
を有することを特徴とする情報データ提供装置。
【請求項４】
前記提供履歴作成部は、
情報データの提供時に提供した情報データと提供時の状況情報とを対応づけて提供履歴を作成し、
前記提供回数集計部は、
前記提供履歴の前記状況情報に基づいて特定の状況情報の場合の情報データ毎提供回数を集計し、
前記情報データ選出部は、
前記提供回数集計部が集計した特定の状況情報の場合の前記情報データ毎提供回数と前記特徴情報記憶部の情報データ毎の特徴情報とに基づいて、特定の状況情報の場合に提供した情報データの特徴情報を判定し、判定により得られた特定の状況情報の場合の情報データの特徴情報と前記特徴情報記憶部の情報データ毎の特徴情報とを比較し、判定により得られた特定の状況情報の場合の情報データの特徴情報と近似する特徴情報を有する情報データを前記特徴情報記憶部から少なくともひとつ以上選出する
ことを特徴とする請求項１から３のいずれかに記載の情報データ提供装置。
【請求項５】
前記情報データ出力部は、
前記情報データ選出部が選出した少なくともひとつ以上の情報データの一覧表示を出力することを特徴とする請求項１から４のいずれかに記載の情報データ提供装置。
【請求項６】
前記情報データ出力部は、
前記一覧表示に表示された少なくともひとつ以上の情報データを自動提供することを特徴とする請求項５に記載の情報データ提供装置。
【請求項７】
前記特徴情報記憶部は、
情報データの特徴情報として、提供時の情報データの特徴を示す速さと、提供時の情報データの特徴を示す明るさと、情報データのジャンルを示す種類との少なくともいずれかを数値化したデータを特徴情報としてあらかじめ記憶することを特徴とする請求項１から４のいずれかに記載の情報データ提供装置。
【請求項８】
前記提供履歴作成部は、
情報データの提供時の状況情報として、提供時の位置と、提供時の時刻と、提供時の季節と、提供時の天候との少なくともいずれかを数値化したデータを状況情報として提供履歴を作成することを特徴とする請求項４に記載の情報データ提供装置。
【請求項９】
前記外部再生装置インタフェース部は、
情報データを提供する外部再生装置と接続し、外部再生装置による情報データの提供時の状況情報として、提供時の位置と、提供時の時刻と、提供時の季節と、提供時の天候との少なくともいずれかを数値化したデータを状況情報として外部提供履歴を作成することを特徴とする請求項３に記載の情報データ提供装置。
【発明の詳細な説明】
【技術分野】
【０００１】
本発明は、音楽情報等の情報データを提供するための情報データ提供装置に関するものである。
【背景技術】
【０００２】
従来のオーディオやカーナビのように移動しながら音楽を聴くための音楽情報提供装置においては、ユーザが望みの音楽情報を聴くときに移動しながら操作をするという煩わしさを解消するために、以下のような方法が提案されている。
【０００３】
特許文献１は、音楽の再生履歴から過去の同じ時間帯や曜日に再生した音楽情報を検索し、再生頻度の高い順に自動演奏するものである。特許文献２は、ユーザが音楽を聴く前に「時間の経過に伴なった、聴きたい曲調の推移」を設定し、再生装置が時間の経過に対応して条件に合致する音楽情報を選出し、順に自動演奏するものである。特許文献３は、自動車の走行環境（位置、天候など）に関連させてユーザが聴きたい音楽情報の曲名、ジャンル、歌手の少なくとも１つを指定しておき、再生装置が条件に合致する音楽情報を選出し、自動演奏するものである。
【特許文献１】特開２０００−２５１３８２「再生装置」  第４頁〜第６頁
【特許文献２】特開２００３−５７５６「電子機器における音楽ファイルデータの再生、配信、放送時に、希望する曲調の時間的変化を伴った選曲順リスト自動生成と、その再生・配信システム」第２頁〜第４頁
【特許文献３】特開２００３−１５０１７６「自動車の音楽情報提供装置、自動車の音楽情報提供方法、自動車の音楽情報提供用プログラム、および、車載の音楽情報提供装置」第３頁〜第４頁
【発明の開示】
【発明が解決しようとする課題】
【０００４】
特許文献１のような方法では、ユーザは聴きたい音楽情報に関する情報を再生装置に設定することなく、自動演奏される。しかし、過去にユーザが手動で再生した音楽情報のみが対象であり、ユーザが聴いたことがない音楽情報は自動演奏されないという課題がある。また、特許文献２および特許文献３のような方法では、選曲の際にユーザ個人が所有する音楽情報のみでなく、音楽配信サイトなども検索することにより、ユーザが聴いたことはないが、そのときの状況に合うと思われる音楽情報を選出することが可能である。しかし、ユーザが聴きたい音楽情報の情報を予め入力しておかなければならず、操作に手間がかかる。また、状況によって聴きたい音楽情報は異なるが、どのような状況のときにどのような曲を聴きたいかを明確に意識していないユーザも存在する。そのようなユーザは聴きたい音楽情報の情報を入力できず、適切な音楽情報を自動演奏することはできないという課題がある。
【０００５】
この発明は、たとえば、聴きたい音楽情報等に関する情報を再生装置に設定することなく、さらに、ユーザが聴いたことがない音楽情報等も考慮して、状況に合った音楽情報等を選出し自動再生することを目的とする。
【課題を解決するための手段】
【０００６】
本発明に係る情報データ提供装置は、
情報データと情報データ毎の特徴を示す特徴情報とを対応づけてあらかじめ記憶する特徴情報記憶部と、
提供した情報データの提供履歴を作成する提供履歴作成部と、
前記提供履歴作成部が作成した前記提供履歴に基づいて情報データ毎提供回数を集計する提供回数集計部と、
前記提供回数集計部が集計した前記情報データ毎提供回数と前記特徴情報記憶部の情報データ毎の特徴情報とに基づいて、過去に提供された情報データの特徴情報を判定し、判定により得られた情報データの特徴情報と前記特徴情報記憶部の情報データ毎の特徴情報とを比較し、判定により得られた情報データの特徴情報と近似する特徴情報を有する情報データを前記特徴情報記憶部から少なくともひとつ以上選出する情報データ選出部と、
前記情報データ選出部が選出した少なくともひとつ以上の情報データを出力する情報データ出力部と
を有することを特徴とする。
【発明の効果】
【０００７】
本発明によれば、ユーザが所望する情報データ（音楽情報）を、所望の情報データ（音楽情報）に関する情報を設定する手間をかけることなく提供することが可能になる。
【０００８】
また、本発明によれば、ユーザの情報データ（音楽情報）の提供履歴（再生履歴）と各曲の特徴（速さ、明るさなどの曲調）を照合し、状況に応じてユーザが好む特徴を分析し、その特徴に近似する情報データを選出することにより、状況によってユーザが所望の情報データの違いを明確に意識していないユーザに対しても、適切な情報データを選出し自動提供することが可能となる。
【発明を実施するための最良の形態】
【０００９】
実施の形態１．
図１は、実施の形態１における音楽情報提供装置を構成する各装置のハードウェア構成を示す図である。ここで、音楽情報提供装置１は情報データ提供装置の一例である。
【００１０】
図１において、音楽情報提供装置１は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、タッチパネル９１６、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。
【００１１】
ＲＡＭは、揮発性メモリの一例である。ＲＯＭ、ＦＤＤ、ＣＤＤ、磁気ディスク装置、光ディスク装置は、不揮発性メモリの一例である。これらは、記憶装置あるいは記憶部の一例である。
【００１２】
通信ボード９１５は、ＦＡＸ機９３２、電話器９３１、ＬＡＮ９４２等に接続されている。
【００１３】
例えば、通信ボード９１５、Ｋ／Ｂ９０２、スキャナ装置９０７、ＦＤＤ９０４、タッチパネル９１６などは、入力部の一例である。また、例えば、通信ボード９１５、ＣＲＴ表示装置９０１などは、出力部の一例である。
【００１４】
ここで、通信ボードは、ＬＡＮ９４２に限らず、直接、インターネット、或いはＩＳＤＮ等のＷＡＮ（ワイドエリアネットワーク）に接続されていても構わない。直接、インターネット、或いはＩＳＤＮ等のＷＡＮに接続されている場合、音楽情報提供装置（情報データ提供装置の一例）１は、インターネット、或いはＩＳＤＮ等のＷＡＮに接続され、ゲートウェイ９４１は不用となる。
【００１５】
磁気ディスク装置９２０には、オペレーティングシステム（ＯＳ）９２１、ウィンドウシステム９２２、プログラム群９２３、ファイル群９２４が記憶されている。プログラム群は、ＣＰＵ９１１、ＯＳ９２１、ウィンドウシステム９２２により実行される。
【００１６】
上記プログラム群９２３には、以下に述べる実施の形態の説明において「提供履歴作成部」、「提供回数集計部」、「情報データ選出部」、「情報データ出力部」として説明する機能を実行するプログラムが記憶されている。プログラムは、ＣＰＵにより読み出され実行される。
【００１７】
また、上記プログラム群９２３には、以下に述べる実施の形態において「特徴情報記憶工程」、「提供履歴作成工程」、「提供履歴記憶工程」、「提供回数集計工程」、「情報データ選出工程」、「情報データ出力工程」として説明する情報データ提供方法を実現する機能を実行するプログラムが記憶されていてもよい。
【００１８】
ファイル群９２４には、以下に述べる実施の形態の説明において、「特徴情報記憶部」、「提供履歴記憶部」、「情報データ毎提供回数記憶部」として説明するものが記憶されている。
【００１９】
また、以下に述べる実施の形態の説明において説明する構成ブロック図の矢印の部分は主としてデータの入出力を示し、そのデータの入出力のためにデータは、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記録される。あるいは、信号線やその他の伝送媒体により伝送される。
【００２０】
また、以下に述べる実施の形態の説明において「提供履歴作成部」、「提供回数集計部」、「情報データ選出部」、「情報データ出力部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００２１】
また、以下に述べる実施の形態を実施するプログラムは、また、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体による記録装置を用いて記憶されても構わない。
【００２２】
本実施の形態では、情報データ提供装置の一例として音楽情報を再生提供する音楽情報提供装置１を用いて説明する。
【００２３】
図２は、実施の形態１における音楽情報提供装置１の構成を示す構成ブロック図である。
【００２４】
図２において、曲調情報記憶部（特徴情報記憶部又は特徴情報記憶工程の一例）１１は、音楽情報の曲名と音楽情報の特徴である曲調を数値化した曲調情報（特徴情報の一例）とを対応づけたデータを記憶している。ここで、曲調情報とは、例えば、音楽情報の特徴である音楽情報の速さ、音楽情報の明るさ、音楽情報のジャンル等を示す種類等を数値化したデータである。曲調情報記憶部１１には、音楽情報提供装置１に蓄積されている全ての音楽情報の曲調情報についてあらかじめ記憶されている。
【００２５】
再生履歴記憶部（提供履歴記憶部又は提供履歴記憶工程の一例）１２は、再生した音楽情報の曲名と再生時の状況情報とを対応させたデータを記憶している。ここで、再生時の状況情報とは、例えば、再生時の位置、時刻、季節、天候等を数値化したデータである。
【００２６】
再生履歴格納処理部（提供履歴作成部又は提供履歴作成工程の一例）１３は、音楽情報が再生される毎に再生時の状況を数値化した状況情報を作成し、音楽情報の曲名と再生時の状況情報とを対応させて再生履歴記憶部１２に格納する。再生時の状況を数値化する方法については後述する。
【００２７】
再生履歴集計処理部（提供回数集計部又は提供回数集計工程の一例）１４は、お薦め曲選出が指定されると、まず、現在（ユーザがお薦め曲選出を指定した時点）の状況を数値化して状況情報を作成する。次に再生履歴集計処理部１４は、現在の状況情報と再生履歴記憶部１２の状況情報とを照合し、現在と近似した状況下で過去に再生されている音楽情報の再生回数を集計する。再生履歴集計処理部１４は、現在と近似した状況下で、音楽情報がこれまでに再生された回数を集計した集計結果を再生回数集計結果記憶部（情報データ毎提供回数記憶部の一例）１５に記憶する。現在（ユーザがお薦め曲選出を指定した時点）の状況を数値化する方法については後述する。
【００２８】
お薦め曲選出処理部（情報データ選出部又は情報データ選出工程の一例）１６は、再生回数集計結果記憶部１５と曲調情報記憶部１１を照合し、現在と近似した状況下において再生回数が多い音楽情報の曲調を分析し、分析した曲調に近似する音楽情報を選出する。さらに、お薦め曲選出処理部１６は、選出した音楽情報をお薦め曲としてユーザ操作画面（情報データ出力部又は情報データ出力工程の一例）１７に一覧表示することによりユーザに提示し、自動再生する。ここで、ユーザ操作画面１７は、ユーザが音楽情報の個別の再生を指定したり、ユーザがお薦め曲選出を指定したり、音楽情報提供装置１がお薦め曲の情報を表示するなどに用いる画面である。
【００２９】
図３は、曲調情報記憶部１１のテーブル構成例を示す図である。
【００３０】
曲調情報記憶部１１は、音楽情報提供装置１に蓄積されているすべての音楽情報の曲名と音楽情報の特徴である速さ、明るさなどの曲調を数値化した曲調情報（特徴情報）とを対応づけて記憶している。
【００３１】
たとえば、音楽情報である楽曲の速さの分析結果を１０段階の数値で表し１から１０までの数値を曲調情報の速さの項目に設定し、楽曲の明るさの分析結果を１０段階の数値で表し１から１０までの数値を曲調情報の明るさの項目に設定する。これにより、音楽情報である曲Ａは速さ「２」で明るさ「８」の曲調情報を持つことになる。
【００３２】
本実施の形態では、音楽情報の特徴を表す曲調情報の項目として速さと明るさとを例にしているが、クラシックやポップス等のジャンルを表す音楽情報の種類等を項目として格納してもよい。
【００３３】
ここで、新曲がリリースされた場合、その音楽情報を曲調情報記憶部１１に取り込む必要がある。定期的にＣＤ−ＲＯＭあるいは音楽配信サイト等から音楽情報を入手することにより、最新の音楽情報の情報を保持できる。しかし、ユーザが独自に入手した楽曲やユーザが独自に録音した音源などの珍しい音楽情報については、上記の方法では情報を入手できないことがある。そのような場合のために、ユーザが曲調情報記憶部１１に存在しない音楽情報を再生したときには、再生中に曲調を分析し、曲調情報記憶部１１に格納する機能を備えてもよい。
【００３４】
図４は、再生履歴記憶部１２のテーブル構成例を示す図である。ユーザが音楽情報を個別に再生した際に、再生履歴格納処理部１３が再生時の状況情報（位置、時刻、季節、天候など）を数値化し、曲名と状況情報を再生履歴記憶部１２に格納する。
【００３５】
再生時の位置の数値化は、あらかじめ既存の地図情報データベースに位置の種別の範囲を設定しておくことで決定することができる。位置の種別は、たとえば、都市部、郊外、自然山近辺、自然海近辺等である。状況情報として、再生時の位置が都市部の範囲の場合は「１」、郊外の場合は「２」、自然山近辺の場合は「３」、自然海近辺の場合は「４」を設定することで数値化することが可能である。
【００３６】
再生時の時刻の数値化は音楽情報提供装置の持つ内部時計から決定することができる。たとえば、状況情報として、再生時の時刻が５時から１１時までの場合「１」、１１時から１７時までの場合「２」、１７時から２３時までの場合「３」、２３時から５時までの場合「４」を設定することで数値化することができる。
【００３７】
再生時の季節の数値化は音楽情報提供装置の持つ内部時計の日時から決定することができる。たとえば、状況情報として、再生時の日時が３月から５月までの場合「１」、６月から８月までの場合「２」、９月から１１月までの場合「３」、１２月から２月までの場合「４」を設定することで数値化することができる。
【００３８】
再生時の天候の数値化はインターネットのお天気サイト等からの情報を得て決定することができる。たとえば、晴れの場合は「１」、曇りの場合は「２」、雨の場合は「３」、雪の場合は「４」を設定することで数値化することができる。
【００３９】
これにより、再生履歴記憶部１２には、音楽情報が再生される毎に音楽情報の曲名、日時、状況情報（位置、時刻、季節、天候）が設定され、再生履歴が蓄積される。
【００４０】
図５は、再生履歴集計処理部１４とお薦め曲選出処理部１６とが音楽情報提供方法（情報データ提供方法）を実現するための動作を示すフローチャート図である。
【００４１】
まず、ユーザが「お薦め曲選出」を指定したかどうか判断する（Ｓ５０１）。「お薦め曲選出」が指定された場合に、これまでに現在と同じ状況下で再生された回数が多い音楽情報をユーザが好んで聴くという考えを元にして、以下の手順でお薦め曲を選出する。
【００４２】
まず、再生履歴集計処理部１４が、現在（「お薦め曲選出」が指定された時点）の状況情報を分析し数値化する（Ｓ５０２）。現在（「お薦め曲選出」が指定された時点）の状況情報の数値化は再生時の状況情報の数値化と同様の処理を行うことにより可能である。
【００４３】
再生履歴集計処理部１４が現在の状況情報と再生履歴記憶部１２の状況情報を比較する（Ｓ５０３）。再生履歴集計処理部１４が近似した状況情報の音楽情報毎の再生回数を集計し、再生回数集計結果記憶部１５に記憶する（Ｓ５０４）。ここで、近似した状況情報であると判断するには、たとえば、「状況情報の２以上の項目が一致する」あるいは「誤差が１以内である状況情報の項目が３以上ある」等の条件を設定することで判断できる。このとき、許容誤差の数値や許容一致項目数の数値は再生履歴記憶部１２に記憶され、後から数値を変更することができる。
【００４４】
次にお薦め曲選出処理部１６が上記の再生回数集計結果記憶部１５と曲調情報記憶部１１を照合し、現在の状況情報に近似した状況で再生回数が多い音楽情報の曲調を判定する（Ｓ５０５）。ここで、音楽情報の曲調を判定するための方法は後述する。
【００４５】
お薦め曲選出処理部１６が、判定した曲調に近似する音楽情報を選出し、お薦め曲としてユーザ操作画面１７に一覧表示する（Ｓ５０６）。ユーザがユーザ操作画面１７で自動再生を指定する（Ｓ５０７）と、一覧表示したお薦め曲を自動再生する（Ｓ５０８）。
【００４６】
図６は、実施の形態１におけるお薦め曲選出処理を示す図である。
【００４７】
お薦め曲選出処理部１６が、再生回数集計結果記憶部１５と曲調情報記憶部１１を照合してお薦め曲を選出する処理を、図６を用いて説明する。ここでは、曲調を表わす項目は速さ、明るさの２つだけとする。
【００４８】
図６において、再生回数集計結果記憶部１５では曲ＡとＣが「再生回数が多い」と判定する。ここでは、「再生回数５回以上」を「多い」と判定するものとする。判定基準となる再生回数の数値は再生履歴記憶部１２に記憶され、後から変更することも可能とする。あるいは、再生回数集計結果記憶部１５において、再生回数が多い方から２曲を選び「再生回数が多い」と判定することもできる。このとき、判定基準となる曲数の数値は再生履歴記憶部１２に記憶され、後から変更することも可能とする。
【００４９】
次に、お薦め曲選出処理部１６が、曲調情報記憶部１１を参照し、「再生回数が多い」と判定された２曲が近似した曲調であるかどうか判断する。ここで、曲調が近似しているかどうか判断するための条件が、たとえば、「速さ、明るさのそれぞれの数値の誤差が１以内の曲」であるとする。この場合の許容誤差等のパラメータも再生履歴記憶部１２に記憶され、後から変更することが可能である。
【００５０】
お薦め曲選出処理部１６が曲調情報記憶部１１を参照し「再生回数が多い」と判定された２曲の曲調が近似している場合は、２曲の曲調の平均値をお薦め曲選出処理の基準の曲調とする。このとき、基準の曲調に近似した曲調の曲は、条件に照合することにより曲Ｆと曲Ｈとなる。このようにして、お薦め曲選出処理部１６は曲Ａ、曲Ｃ、曲Ｆ、曲Ｈの４曲を選出し、お薦め曲リスト５１としてユーザ操作画面１７に一覧表示し、自動再生する。
【００５１】
また、お薦め曲選出処理部１６が曲調情報記憶部１１を参照し「再生回数が多い」と判定された２曲の曲調が近似していない場合は、２曲それぞれの曲調をお薦め曲選出処理の基準の曲調として同様の処理を基準の曲調数回実行することでお薦め曲を選出することができる。
【００５２】
本実施の形態では、曲調情報記憶部１１には音楽情報提供装置に蓄積されているすべての音楽情報の情報が格納されているので、選出される音楽情報にはユーザがまだ聴いたことがないものも含まれる。
【００５３】
このように、お薦め曲選出処理で基準の曲調を分析し利用することで、ユーザが聴いたことのない曲でもお薦めの曲として、ユーザに提示することができる。したがって、ユーザは現在の状況においてユーザ自身が好む新たな音楽情報の情報を得ることができる。
【００５４】
以上のように、本実施の形態に係る音楽情報提供装置は、以下の手段を備えた移動しながら音楽を聴くための音楽情報提供装置であることを特徴とする
（ａ）現在の状況（位置、時刻、季節、天候など）を判断する手段
（ｂ）ユーザが楽曲を再生した際に、曲名と現在の状況を再生履歴として保存する手段
（ｃ）曲名および、曲の特徴である速さ、明るさなどの曲調を数値化したデータを曲調情報として保存する手段
（ｄ）（ｂ）の再生履歴を参照して、現在の状況と同じ状況下で再生した楽曲の各々の再生回数を集計する手段
（ｅ）（ｄ）で集計した再生回数と（ｃ）の曲調情報を参照し、再生回数が多い楽曲の曲調に合致する楽曲を選出する手段
（ｆ）（ｅ）で選出した楽曲をお薦め曲としてユーザに提示、および自動再生する手段。
【００５５】
以上のように、本実施の形態によれば、ユーザが所望する音楽情報に関する情報を設定する手間をかけることなく、お薦め曲選出を指定することによりユーザが所望する音楽情報を一覧表示、再生することが可能になる。
【００５６】
また、本発明によれば、ユーザの音楽情報の再生履歴と各曲の曲調（速さ、明るさなど）を照合し、状況に応じてユーザが好む曲調を分析し、その曲調に近似する音楽情報を選出することにより、状況によってユーザが所望の音楽情報の違いを明確に意識していないユーザに対しても、適切な音楽情報を選出し自動再生することが可能となる。
【００５７】
実施の形態２．
実施の形態１では、音楽情報提供装置１がユーザに提示したお薦め曲の一覧表示をすべて自動再生する場合を説明した。しかし、音楽情報の自動再生においては、ユーザは提示されたお薦め曲をすべて聴きたいとは限らず、一部だけを聴きたい場合もある。
【００５８】
そのため、本実施の形態では、お薦め曲選出処理部１６は、ユーザ操作画面１７に表示したお薦め曲をすべて自動再生する機能とお薦め曲リスト５１からユーザが聴きたい音楽情報および再生順をユーザ操作画面１７で指定しそれにしたがって自動再生する機能とを備えていてもよい。
【００５９】
また、再生履歴記憶部１２から音楽情報毎の再生回数を集計する際、新曲はユーザが好む曲であっても、しばらくの期間は再生回数が少ない傾向になりがちである。また、新曲でなくても、お薦め曲として提示されたことにより、ユーザが最近聴き始めた音楽情報も同様に再生回数が少ない傾向になる。そのような場合を考慮すると、単にこれまでにユーザが再生した音楽情報の再生回数をもとにした曲調分析では、ユーザの好みが正しく反映されない可能性がある。そこで、再生履歴集計処理部１４において、たとえば、ユーザが初めて再生した日からある一定の期間が経過している音楽情報のみを集計の対象とする方法にしてもよい。
【００６０】
これにより、再生回数が多い音楽情報の曲調が、現在の状況下におけるユーザの好みを表わす確度が高くなり、ユーザが納得できるお薦め曲を提示できる。
【００６１】
実施の形態３．
実施の形態１および２では、音楽情報が音楽情報提供装置１を構成するハードウェアと同じ装置内に存在している場合の音楽情報提供装置１について説明した。しかし、音楽情報の再生においては、携帯用デジタル再生装置などの外部再生装置と接続して再生した音楽もお薦め曲の対象として提示してもらいたい場合がある。
【００６２】
そこで、本実施の形態では、携帯用デジタル再生装置などの外部再生装置と接続し、接続中に再生した外部再生装置内の音楽情報もお薦め曲選曲の対象として提示する機能をもつ音楽情報提供装置１について説明する。
【００６３】
図７は、実施の形態３における音楽情報提供装置１の構成を示す構成ブロック図である。図７において、実施の形態１における図２と同一あるいは同一相当の機能を持つ構成ブロックについては、同一の符号を付し、その説明を省略する。
【００６４】
図７において、外部再生装置インタフェース部１８は、外部再生装置１９を音楽情報提供装置１に接続するための接続インタフェースである。
【００６５】
ここで、外部再生装置１９は、例えば、ｉＰｏｄ（登録商標）などの携帯用デジタル音楽再生装置である。外部再生装置１９は、ユーザが所望する音楽情報をＣＤ−ＲＯＭや音楽配信サイト等から入手し内部のメモリに蓄積している。また、外部再生装置１９は、音楽情報の曲名・歌手名・曲のジャンル・曲の長さ・再生回数・再生された日時等の履歴情報を内部のメモリに蓄積している。
【００６６】
実施の形態１〜２における音楽情報提供装置１は、ユーザの要求やお薦め選曲等の要求により、ハードディスク等に蓄積された音楽情報を再生してユーザに提供することができる。
【００６７】
本実施の形態における音楽情報提供装置１は、さらに、外部再生装置１９を接続することにより、外部再生装置１９の内部のメモリに蓄積された音楽情報を再生することができる機能を有する。また、音楽情報提供装置１は、ユーザの指示により外部再生装置１９の内部のメモリに蓄積された音楽情報を音楽情報提供装置１の有するハードディスク等にダウンロードすることができる機能を有してもよい。
【００６８】
ここで、音楽情報とは、楽曲そのもののデータであり、ＭＰ３（ＭＰＥＧ  ａｕｄｉｏ  ｌａｙｅｒ  ３）形式等のデータ形式で蓄積されている。
【００６９】
外部再生装置インタフェース部１８は、外部再生装置１９により音楽情報（情報データの一例）が再生されると、その音楽情報についての曲名、ジャンル、再生した日時等の提供情報を外部再生装置１９から受信する。さらに、外部再生装置インタフェース部１８は、受信した提供情報を再生履歴格納処理部１３（提供履歴作成部の一例）に転送する。
【００７０】
再生履歴格納処理部１３は、外部再生装置１９により音楽情報が再生されその提供情報を外部再生装置インタフェース部１８から受信する毎に、リアルタイムに、再生時の状況を数値化した状況情報を作成し音楽情報の曲名と再生時の状況情報とを対応させて外部提供履歴を作成し再生履歴記憶部１２に追加して格納する。
【００７１】
このとき、再生履歴格納処理部１３が状況情報を作成する方法は、実施の形態１で説明した方法と同様である。また、再生履歴格納処理部１３は、外部再生装置インタフェース部１８から受信した曲名、ジャンル、再生した日時等の提供情報を利用して、状況情報を作成してもよい。
【００７２】
以降の音楽情報提供装置１の処理は、実施の形態１で説明した処理と同様である。
【００７３】
実施の形態１あるいは実施の形態２で説明したように、音楽情報提供装置１は、ユーザによりお勧め曲選出が指定されると、ユーザ操作画面１７にお薦め曲を一覧表示したり、あるいはお薦め曲を自動再生することができる。
【００７４】
本実施の形態における音楽情報提供装置１は、お薦め曲一覧の情報を外部再生装置１９に送信し外部再生装置１９にお薦め曲を一覧表示したり、あるいはお薦め曲一覧の情報を外部再生装置１９に送信し外部再生装置１９でお薦め曲を自動再生できるようにしてもよい。
【００７５】
ここで、音楽情報提供装置１は、外部再生装置１９により音楽情報を再生した場合、その音楽情報の特徴を示す曲調情報を曲調情報記憶部１１に取り込む必要がある。そのような場合のために、音楽情報提供装置１は、ユーザが曲調情報記憶部１１に存在しない音楽情報を再生したときには、再生中に曲調を分析し曲調情報記憶部１１に格納する機能を備えてもよい。また、音楽情報提供装置１は、ユーザがマニュアルで音楽情報の曲調情報を音楽情報提供装置１に入力する機能を備えてもよい。
【００７６】
このように、本実施の形態によれば、音楽情報提供装置１は、携帯用デジタル再生装置などの外部再生装置１９と接続して再生した外部再生装置１９内の音楽情報の情報を、リアルタイムに音楽情報提供装置１に取り込むことができ、お薦め曲選出の対象とすることができるので、より幅の広いお薦め曲選出サービスをユーザに提供することができる。
【００７７】
実施の形態４．
実施の形態３では、外部再生装置１９を音楽情報提供装置１に接続して再生した音楽情報の情報をリアルタイムにお薦め曲の対象として取り込む方法について説明した。
【００７８】
本実施の形態では、外部再生装置１９を音楽情報提供装置１に接続して再生した音楽情報の情報ばかりでなく、過去に外部再生装置１９により再生された音楽情報の情報をも、お薦め曲の対象とする場合について説明する。
【００７９】
つまり、内部に保存（録音）している音楽だけではなく、外部再生装置１９との接続インタフェースを設け、外部再生装置１９で再生した音楽の履歴を装置内部に保存しておくことで、外部再生装置で再生した音楽をお薦め音楽の対象とすることができる場合である。
【００８０】
図８は、実施の形態４における音楽情報提供装置１の構成を示す構成ブロック図である。図８において、実施の形態１における図２または実施の形態３における図７と同一あるいは同一相当の機能を持つ構成ブロックについては、同一の符号を付し、その説明を省略する。
【００８１】
ここで、外部再生装置１９は、実施の形態３と同様に、ユーザが所望する音楽情報をＣＤ−ＲＯＭや音楽配信サイト等から入手し内部のメモリに蓄積し、音楽を再生して楽しむことができる携帯用デジタル再生装置等である。また、外部再生装置１９は、外部再生装置の履歴として再生した音楽情報の曲名・歌手名・曲のジャンル・曲の長さ・再生された日時等の情報を内部のメモリに蓄積している。
【００８２】
また、外部再生装置１９は、ＧＰＳ機能等を搭載した携帯用デジタル再生装置や情報端末装置等でもよい。この場合、外部再生装置１９は、音楽情報を再生する毎に地図情報データベースや天候サイトを参照することにより、音楽情報再生時の状況に関する情報（位置、日時、天候等）についても、外部再生装置１９の過去の履歴として蓄積することができる。
【００８３】
図８において、外部再生装置インタフェース部１８は、音楽情報提供装置１に外部再生装置１９が接続されると、外部再生装置１９が過去に再生した音楽情報の情報である外部再生装置１９の履歴（提供情報の一例）に基づいて外部提供履歴２０を作成する。
【００８４】
図９は、外部提供履歴２０のテーブル構成の一例を示す図である。
【００８５】
外部再生装置インタフェース部１８は、外部再生装置１９が接続されると、外部再生装置１９のメモリにアクセスして外部再生装置１９の履歴（提供情報の一例）を読み込む。そして、外部再生装置インタフェース部１８は、外部再生装置１９の履歴（提供情報の一例）に基づいて、過去にユーザが音楽情報を外部再生装置１９により再生した際の状況に関する情報（位置、日時、天候等）を数値化し状況情報として、曲名と状況情報を対応づけて外部提供履歴２０に格納する。このときの数値化の方法は、実施の形態１で説明した方法と同様である。
【００８６】
また、このとき、外部提供履歴２０のテーブル構成の項目および状況情報の数値に対応する内容は、音楽情報提供装置１が再生した再生履歴である再生履歴記憶部１２のテーブル構成の項目および状況情報の数値に対応する内容と同一であることが望ましい。しかし、テーブル構成の項目等に関しては、情報の不足により同一とすることができないものがあっても構わない。
【００８７】
以下に、外部再生装置インタフェース部１８が、外部再生装置１９により再生した際の状況に関する情報（位置、日時、天候等）を数値化する方法の一例を説明する。
【００８８】
外部再生装置インタフェース部１８が再生時の位置の数値化をする場合は、あらかじめ既存の地図情報データベースに位置の種別の範囲を設定しておくことで決定することができる。位置の種別は、たとえば、都市部、郊外、自然山近辺、自然海近辺等である。状況情報として、再生時の位置が都市部の範囲の場合は「１」、郊外の場合は「２」、自然山近辺の場合は「３」、自然海近辺の場合は「４」を設定することで数値化することが可能である。
【００８９】
外部再生装置インタフェース部１８が再生時の時刻の数値化をする場合は、外部再生装置１９により再生した際の状況に関する情報（位置、日時、天候等）から決定することができる。たとえば、状況情報として、再生時の時刻が５時から１１時までの場合「１」、１１時から１７時までの場合「２」、１７時から２３時までの場合「３」、２３時から５時までの場合「４」を設定することで数値化することができる。
【００９０】
外部再生装置インタフェース部１８が再生時の季節の数値化をする場合は、外部再生装置１９により再生した際の状況に関する情報（位置、日時、天候等）の日時から決定することができる。たとえば、状況情報として、再生時の日時が３月から５月までの場合「１」、６月から８月までの場合「２」、９月から１１月までの場合「３」、１２月から２月までの場合「４」を設定することで数値化することができる。
【００９１】
外部再生装置インタフェース部１８が再生時の天候の数値化をする場合は、外部再生装置１９により再生した際の状況に関する情報（位置、日時、天候等）からの情報を得て決定することができる。たとえば、晴れの場合は「１」、曇りの場合は「２」、雨の場合は「３」、雪の場合は「４」を設定することで数値化することができる。
【００９２】
これにより、外部提供履歴２０には、過去に外部再生装置１９により再生された音楽情報の曲名、日時、状況情報（位置、時刻、季節、天候）が設定され、外部再生履歴が蓄積される。そして、再生履歴集計処理部１４は、再生履歴記憶部１２と外部提供履歴２０とをお薦め曲選出の集計対象とすることができる。
【００９３】
図１０は、実施の形態４における再生履歴集計処理部１４とお薦め曲選出処理部１６が音楽情報提供方法を実現するための動作を示すフローチャート図である。図１０は、実施の形態１における図５とほぼ同一の処理を示しているが、本実施の形態では、図５におけるＳ５０３およびＳ５０４の処理が図１０におけるＳ１００１およびＳ１００２の処理となる。
【００９４】
Ｓ１００１では、再生履歴集計処理部１４が、現在の状況情報と再生履歴記憶部１２および外部提供履歴２０の状況情報とを比較する。
【００９５】
Ｓ１００２では、再生履歴集計処理部１４が、再生履歴記憶部１２および外部提供履歴２０の再生履歴の中で近似した状況情報の音楽情報毎の再生回数を集計し、再生回数集計結果記憶部１５に記憶する（Ｓ１００２）。
【００９６】
すなわち、再生履歴集計処理部１４が、再生履歴記憶部１２と外部提供履歴２０とを集計対象とすることにより、音楽情報提供装置１で再生された音楽情報ばかりでなく外部再生装置１９で過去に再生された音楽情報についても、お薦め曲選曲の対象とすることができる。
【００９７】
また、ユーザが「外部再生装置のお薦め曲選曲」を指定した場合には、再生履歴集計処理部１４は、外部提供履歴２０のみを集計することで「外部再生装置のお薦め曲選曲」を、ユーザに提示することができる。また、逆に、ユーザが「音楽情報提供装置のみのお薦め曲選曲」を指定した場合には、再生履歴集計処理部１４は、再生履歴記憶部１２のみを集計することで「音楽情報提供装置のみのお薦め曲選曲」を、ユーザに提示することができる。
【００９８】
以降の処理は、実施の形態１で説明した処理と同様である。
【００９９】
実施の形態１あるいは実施の形態２で説明したように、音楽情報提供装置１は、ユーザ操作画面１７にお薦め曲を一覧表示したり、あるいはお薦め曲を自動再生することができる。
【０１００】
本実施の形態における音楽情報提供装置１は、ユーザが、「外部再生装置のお薦め曲選曲」を指定した場合には、お薦め曲一覧の情報を外部再生装置１９に送信し、外部再生装置１９にお薦め曲を一覧表示したり、あるいは外部再生装置１９でお薦め曲を自動再生できるようにしてもよい。
【０１０１】
以上のように、本実施の形態によれば、音楽情報再生装置１は、音楽情報提供装置１で再生された音楽情報ばかりでなく外部再生装置１９で過去に再生された音楽情報についても、お薦め曲選曲の対象とすることができる。
【図面の簡単な説明】
【０１０２】
【図１】実施の形態１における音楽情報提供装置を構成する各装置のハードウェア構成を示す図である。
【図２】実施の形態１における音楽情報提供装置１の構成を示す構成ブロック図である。
【図３】実施の形態１における曲調情報記憶部のテーブル構成例を示す図である。
【図４】実施の形態１における再生履歴記憶部のテーブル構成例を示す図である。
【図５】実施の形態１における再生履歴集計処理部とお薦め曲選出部が音楽情報提供方法を実現するための動作を示すフローチャート図である。
【図６】実施の形態１におけるお薦め曲選出処理を示す図である。
【図７】実施の形態３における音楽情報提供装置１の構成を示す構成ブロック図である。
【図８】実施の形態４における音楽情報提供装置１の構成を示す構成ブロック図である。
【図９】外部提供履歴２０のテーブル構成の一例を示す図である。
【図１０】実施の形態４における再生履歴集計処理部とお薦め曲選出部が音楽情報提供方法を実現するための動作を示すフローチャート図である。
【符号の説明】
【０１０３】
１  音楽情報提供装置、１１  曲調情報記憶部、１２  再生履歴記憶部、１３  再生履歴格納処理部、１４  再生履歴集計処理部、１５  再生回数集計結果記憶部、１６  お薦め曲選出処理部、１７  ユーザ操作画面、１８  外部再生装置インタフェース部、１９  外部再生装置、２０  外部提供履歴。
【図１】
2006294212.tif 000003
【図２】
2006294212.tif 000004
【図３】
2006294212.tif 000005
【図４】
2006294212.tif 000006
【図５】
2006294212.tif 000007
【図６】
2006294212.tif 000008
【図７】
2006294212.tif 000009
【図８】
2006294212.tif 000010
【図９】
2006294212.tif 000011
【図１０】
2006294212.tif 000012